(57)【特許請求の範囲】
【請求項１】
透液性表面シートと不透液性裏面シートとの間に吸液性コアが介在し、長手方向が前身頃と後身頃とそれら両身頃間に介在する股下域とにより構成され、おむつ内面の左右両側における前後身頃および股下域の長手方向のほぼ全長に亘ってあり該内面からの起立性向を有する伸縮性カフを備えた使い捨ておむつにおいて、
前記カフは、他の構成部材と別体であるとともに常態において前記おむつ内面から起立するほぼ三日月形の伸縮性シートであってその両端方向に伸長した状態で該両端と該両端間の外側円弧に沿う部分とが前記内面の長手方向に接合してあり、前記前後身頃での前記カフの起立による嵩張りを防止したことを特徴とする前記おむつ。
【発明の詳細な説明】
【０００１】
【産業上の利用分野】
この発明は使い捨ておむつに関する。
【０００２】
【従来の技術】
従来、使い捨ておむつ内面の左右両側に股下域を中心として前後身頃の長手方向に延在し、その内面からの起立性向を有するカフを設けて体液がおむつから横漏れするのを防止する技術は公知である。
【０００３】
図４は、かかる従来技術のおむつの一例を示す部分破断平面図である。このおむつ１００は、透液性表面シート１０２と、不透液性裏面シート１０３と、これら両シート１０２，１０３間に介在する砂時計型の吸液性コア１０４とからなるおむつ本体１０５を有し、本体１０５の長手方向は前身頃１０６と、後身頃１０７と、それら両身頃１０６，１０７間に介在する股下域１０８とにより構成されている。本体１０５において、その左右両側には前後身頃１０６，１０７の長手方向に延在し、着用者の股部に当接可能な撥水性または不透液性のカフ１１０と、両側縁部を伸縮性にして着用者の脚周りへの密着性をよくすることが可能な裏面シート１０３内面に接合した弾性部材（第１弾性部材）１１６とがある。また、後身頃の左右側縁からはテープファスナー１１３が延出している。カフ１１０は、幅Ｗを有する矩形のシート片からなり、内側縁部１１５は自由縁部であって、弾性部材（第２弾性部材）１１４が伸長状態で貼着してある。内側縁部１１５に並行する外側縁部１１７と前後両端縁部１１８とは斜線１２０で示す部分がおむつ内面に接合している。かかるおむつ１００を着用すると、カフ１１０は、第２弾性部材１１４が収縮して表面シート１０２から起立し、表面シート１０２との間におむつ１００内方へ向かって開口するポケット（図示せず）を形成することができる。また、カフ１１０は、股下域１０８においてほぼ垂直に起立すると、横漏れを防止する高さＷのバリヤーとなる。このようなおむつ１００は、例えば米国特許第４，６９５，２７８号公報に開示されている。
【０００４】
【発明が解決しようとする課題】
ところで、着用したおむつがずり下がると、股とおむつとの間に隙間が生じて体液が漏れ易くなるが、おむつ股下域のカフの丈を高くしておくと、その隙間が大きくなっても体液の漏れを未然に防ぐことができる。従来技術のおむつ１００でそのようにするには、カフ１１０の幅Ｗを広げておけばよいが、そうするとおむつ１００の胴周り内面に接合してあるカフ１１０の前後端縁部１１８が嵩張って着用感を妨げたり、股下域１０８でカフ１１０が起立しても幅広いカフ１１０が胴周り近傍では表面シート２を被覆してしまい、表面シート１０２の実質的な透液面積を減少させて速やかな透液の妨げになるという問題がある。
【０００５】
そこで、この発明は、カフを伸縮性シートでほぼ三日月形につくることにより、前記問題を解決することを課題にしている。
【０００６】
【課題を解決するための手段】
この発明が前記課題を解決するために手段とするところは、以下のとおりである。
【０００７】
この発明においては、透液性表面シートと不透液性裏面シートとの間に吸液性コアが介在し、長手方向が前身頃と後身頃とそれら両身頃間に介在する股下域とにより構成され、おむつ内面の左右両側における前後身頃および股下域の長手方向のほぼ全長に亘ってあり該内面からの起立性向を有する伸縮性カフを備えた使い捨ておむつを前提にしている。
【０００８】
かかる前提において、前記カフは、他の構成部材と別体であるとともに常態において前記おむつ内面から起立するほぼ三日月形の伸縮性シートであってその両端方向に伸長した状態で該両端と該両端間の外側円弧に沿う部分とが前記内面の長手方向に接合してあり、前記前後身頃での前記カフの起立による嵩張りを防止したことがこの発明の特徴である。
【０００９】
【作用】
このように構成した使い捨ておむつでは、カフを三日月形にすることでその両端部の幅を狭くしたから、股下域においてカフの幅を広くしても胴周りは嵩張ることがない。
【００１０】
【実施例】
この発明に係る使い捨ておむつの詳細を添付の図面を参照して説明すると、以下のとおりである。
【００１１】
図１、２は、使い捨ておむつ１の部分破断斜視図と、そのＸ−Ｘ線端面図である。おむつ１は、透液性表面シート２と、不透液性裏面シート３と、それら両シート２，３間に介在する吸液性コア４とからなり、コア４の周縁からは表裏面シート２，３が延出して互いに接合し、脚周りフラップ１１Ａと胴周りフラップ１１Ｂとを形成している。おむつ１の長手方向は前身頃６と、後身頃７と、それら両身頃６，７間に介在する股下域８とにより構成され、後身頃７のフラップ１１Ｂには胴周り方向の弾性部材（第１弾性部材）１２が伸長状態で裏面シート３内面に貼着してあり、また後身頃７の左右側縁からはテープファスナー１３が延出している。おむつ１内面の左右両側には前後身頃６，７および股下域８の長手方向に着用者の股部に当接可能なカフ１０が延在し、カフ１０の外側では脚周りフラップ１１Ａが弧状に切り欠かれ、弧の内側には伸長状態の脚周り弾性部材（第２弾性部材）１６が裏面シート３内面に接合している。
【００１２】
図１において仮想線で示すカフ１０Ａは、おむつ１内面に接合する前のカフ１０単体を平面図で示したものである。カフ１０Ａは、三日月形の伸縮性シートであって、好ましくは図示のごとく上下（おむつ１における前後）両端部２３を切り落とし、斜線で示すのりしろ部分１７においておむつ１内面に接合すると、新たに生じた両端１８とそれら両端１８間の外側円弧１９とを起立の基端とするカフ１０が得られる。ただし、カフ１０Ａの両端１８間の直線距離は、おむつ１の両端間距離よりも小さくしてあり、表面シート２を外側円弧１９と同じように湾曲させておいて接合するか、またはカフ１０Ａを適宜伸長しておむつ１内面の所要部位に接合する。このようなカフ１０を有するおむつ１は、常態においてカフ１０が収縮して起立するとともに、内面が凹となるように湾曲し、カフ１０の内側円弧１５は、着用者の股部に当接可能な自由縁となる。カフ１０は実質的に三日月形であるから、その起立する丈を股下域８で最も高くし、前後身頃６，７へ向かうに従い低くして、おむつ１の端縁部１１Ｂでは、のりしろ１７を僅かに残すだけにすることができる。かかるカフ１０は、端縁部１１Ｂで嵩張ることがなく、着用感の妨げになることがない。
【００１３】
図３は、図１と異なる態様のおむつ１の要部斜視図である。カフ１０は、おむつ１内面から起立する部分が実質的に三日月形であるが、おむつ１内面に接合するのりしろ１７が比較的大きく、おむつ１の脚周りフラップ１１Ａと前後身頃６，７の翼部２２とを被覆し、実質的におむつ１と同じ外形を有している。このようなカフ１０は、図１の場合において表面シート２に接合したカフ１０ののりしろ１７部分の段差が着用感の妨げになる場合や、表面シート２をその面方向に拡散する体液が脚周りフラップ１１Ａや翼部２２において表面に滲出するのを嫌う場合に利用することが好ましい。
【００１４】
この発明において、カフ１０には複合繊維やメルトブローン繊維などからなる伸縮性不織布、エラストマーなどからなる伸縮性プラスチックフィルムなどの伸縮性シート素材を使用することができ、それらシート素材は、撥水性、不透液性、通気不透液性のいずれかであることが好ましい。表面シート２，３やその他の部材には当該分野における慣用素材を利用すればよく、各種部材の接合にはホットメルト接着剤などの接着剤や粘着剤の他に、熱溶着の技術を利用することができる。
【００１５】
【発明の効果】
この発明に係る使い捨ておむつにおいては、カフの形状を実質的に三日月形にしたから、カフは股下域において起立する丈が高くても前後身頃の端縁部で嵩張ることがなく、このおむつは、従来技術のものに比し着用感が向上する。
【図面の簡単な説明】
【図１】
おむつの部分破断斜視図。
【図２】
図１のＸ−Ｘ線端面図。
【図３】
図１と異なる態様のおむつの要部斜視図。
【図４】
従来技術のおむつの平面図。
【符号の説明】
１    おむつ
２    表面シート
３    裏面シート
４    吸液性コア
６    前身頃
７    後身頃
８    股下域
１０    カフ
１８    端
１９    外側円弧
【図１】
0003541054.tif 000002
【図２】
0003541054.tif 000003
【図３】
0003541054.tif 000004
【図４】
0003541054.tif 000005